(57)【要約】  ワインを含む流体をワインボトルまたはデキャンタなどから各人が飲むためのグラス、またはカップ等の容器に移す際、十分に空気に触れさせて味をマイルドにし、かつ香りを増長させるとともに、その際の流体そのものの移動が視覚的に美しい演出効果を伴い、かつ複数のグラスに同時にワインを注ぐことが出来る流体下降分配装置を提供する。  上部が広く開いた漏斗状の流体受け部と、該流体受け部より流下される流体が複数の細い貫通孔を有する流体噴出部を備えた基本構成を、多段に吊り下げ、上部の基本構成から下段の基本構成へとシャワー状に噴出下降し、最下段の基本構成から噴出したワインは流体分配皿に注がれ、該分配皿の周囲に設けられた複数の流出口から複数のワイングラスに同時に分配される構成とした。
2014049824.tif 000002
【特許請求の範囲】
【請求項１】
ワインを含む流体を下降させる流体下降分配装置において、
上方に広がった形状を有し上方から注ぎこむ前記流体を受ける流体受け部と、底面周囲に複数の流体噴出孔がある略筒状の流体噴出部とを有する基本構成具と、
前記基本構成を支持するための第１の支持具が取り付けられた支持スタンドと、
前記支持スタンドから懸垂される吊下材に結合される第２及び／もしくは第３の支持具と
を具備することを特徴とする流体下降分配装置。
【請求項２】
前記支持具にはそれぞれ前記基本構成具が装着され、前記支持スタンドに取り付けられた最下段の前記支持具に装着された基本構成具に係る流体噴出部からの噴出流体を受けるための流体分配皿であって流体を複数に分配するための複数の流体流出口が設けられた流体分配皿をさらに具備することを特徴とする請求項１記載の流体下降分配装置。
【請求項３】
前記流体下降分配装置において、前記流体分配皿を支持する支持スタンドの長さが可変になっている請求項１もしくは２記載の流体下降分配装置。
【請求項４】
前記流体分配皿に取り付けられた複数の流体流出口の任意の流出口を流出口栓によって流体流出を遮断できることを特徴とする請求項２記載の流体下降分配装置。
【請求項５】
前記流体下降部の基本構成を支持するスタンドの一部をフレキシブル構造にすることを特徴とする請求項１乃至４のいずれか１項記載の流体下降分配装置。
【発明の詳細な説明】
【技術分野】
【０００１】
本発明は、ワインやジュースのような流体（飲食物に限定されない）もしくは粉体をグラス等に注ぐ場合の流体下降分配装置に係り、特に、流体下降の様子を視覚的に強調して装飾的効果も持ち得る流体下降を行う装置、望ましくはさらに複数のグラスに同時に分配できる装置に関する。
【背景技術】
【０００２】
近年、食生活の欧米化によってパーティや慶事を祝うイベントだけでなく、日々の食事でもワインを飲むことが一般的になっている。通常、長い年月を経て熟成されたワインは非常に高価であるため、一般には比較的安価な「若いワイン」を飲む機会が多い。ところが、「若いワイン」は、作られてから時間が経っていないため熟成があまり進んでおらず、そのため、美味しく飲む為には開栓後に空気に多く触れさせて酸化を促進し、味をマイルドにして香りを引き立たせる工程が必要となる。十分に味と香りを「開いて」から楽しむのである。【０００３】
味と香りを開く工程の１つとして、たとえば細口のデキャンタを片手で高く掲げ、もう片方の手に持ったグラスとできる限り距離を長く取りながらグラスに注ぎこむというものがある。この際、両手は上下左右に最大限離した状態にし、デキャンタを持つ片手からグラスを持った片手へとワインを移動させる。これによって、デキャンタをグラスの口に接する距離からワインを注ぐより多くの空気に触れさせ、かつ長時間空気に触れさせることが可能となる。さらに、この行為は視覚的に楽しめるものでもあり、食事の時間の演出にもなる。【０００４】
しかし、上述のように細口のデキャンタからグラスに注ぐ行為は、非常に高度な熟練技術が必要であり、誰にでも簡単にできるものではなく、ワインをこぼして床やテーブルを汚してしまう恐れがある。また、この行為を安全に行うためには、十分なスペースを確保する必要がある。更にこのようなデキャンタから複数のグラスにワインをサーブすることはできず、無理に複数のグラスを並べても、ワインをこぼさずにサーブすることは至難の業である。【０００５】
また、飲料や液体を十分な空気に触れさせつつサーブすることのできる仕掛けとして、シャンパンタワーやチョコレートファウンテンなどもあるが、いずれも視覚的な演出性はあるものの、準備する手間や大がかりな機械が必要であるため、個人にも気軽に楽しめるものとは言えない。【０００６】
こうしたことを背景に、ワインに空気を触れさせて適度に酸化させるための装置が提案されている。【０００７】
先行文献１には、ワインと外気との接触を促進させ、かつオリやコルクのカスなどを除去する器具として、飲料の風味等を向上させ、さらには、オリやコルクのカスをとる飲料容器用注ぎ口中継器が開示されている。
【先行技術文献】
【特許文献】
【０００８】
【特許文献１】特開２００４−２５６１３８号公報
【発明の開示】
【発明が解決しようとする課題】
【０００９】
しかしながら、特許文献１に開示された飲料容器用注ぎ口中継器は、中継器本体側面に配置された金属メッシュにより、外気が中継器内に取り入れられるものの、実際にワインそのものが空気に触れることができるのは、中継器内を流れるワイン表面のみに限定され、グラスに注ぎこむワインをまんべんなく酸化させることはできない。【００１０】
また、ワインを含む流体を各人へサーブする行為は、食事やパーティなどのイベントにおいて場が盛り上がる演出的な効果が期待される行為であるといえるが、視覚的効果と味覚的効果の両方の向上は、特許文献１に開示される飲料容器用注ぎ口中継器では期待できない。【００１１】
本発明は、上記のような従来技術の問題点を解決するためになされたものであり、その主たる目的は、ワインを含む流体（もしくは粉体）をワインボトルまたはデキャンタなどから各人が飲むためのグラス、またはカップ等の容器に移す際、十分に空気に触れさせて味をマイルドにし、かつ香りを増長させるとともに、その際の流体そのものの移動が視覚的に美しい演出効果を伴う流体もしくは粉体下降装置を提供すること、さらに複数のワイングラスに同時にサーブできることを可能とする装置を提供することである。
【課題を解決するための手段】
【００１２】
かかる目的を達成するために、本発明に係る流体もしくは粉体下降分配装置は、ワインを含む流体を下降させる流体もしくは粉体下降分配装置であって、上方に広がった漏斗状であり上方から注ぎこむ流体を受ける流体受け部と、前記流体受け部から流体が下方へと流れ込み、底面周囲に複数の流体噴出孔がある筒状の流体噴出部とを有する基本構成を用いる。【００１３】
かかる基本構成において、流体受け部は、上方から下方に向かって次第に口径が小さくなる略漏斗型をしており、かつその口径は、ボトルまたはデキャンタ等から注がれるワインを含む流体をこぼすことなく受け止めるに十分な大きさを有する。これによって、特別な技術や熟練を必要とせず、誰でも安全にワインを含む流体を該流体受け部に注ぎ込むことが可能となる。【００１４】
この流体受け部は、好適には略漏斗型の形状を有してなるが、これに限定されることなく、上方に十分な口径を有し、なだらかに下方へと流体を導くように口径が小さくなるような形状からなればよい。たとえば花の形、王冠型、優勝カップ型など、視覚的効果をさらに高めるような、美しい装飾が施された形状をしていてもよく、本願に係る流体受け部はこれらのすべての形態を包含して実現されるものである。また、流体を受け、かつ一定時間保持していても形態保持性を担保すべく、一定の剛性及び一定以上の厚みを有して形成される。材質としては、流体の保持に耐えうるものであり、かつ注いで流下する流体を飲料として摂取するに十分な安全性を保持するものであれば、特に限定はなく、たとえばガラス、セラミック、プラスチック、樹脂、またはステンレスを含む金属であってもよく、本願の流体受け部に係る技術思想としてはこれらのすべての材質を包含するものである。たとえば、本願に係る流体もしくは粉体下降分配装置をガラス製とした場合には、他（たとえば金属製）のものにはない透明感、清涼感等を醸し出す演出が可能となる。【００１５】
上記の基本構成を多段に支持する場合について説明する。逆Ｊ型あるいは逆Ｌ型のスタンド先端には基本構成の流体受け部最大径より小さい内径を有するリングが固定されており、該リングには複数の鎖あるいは紐が取り付けられ下方に該リングと同様なリングが複数吊り下げられている。これらの各リングに上記説明の基本構成を装着すると、各基本構成は、その流体受け部の部分がリングで支えられ多段に支持される。【００１６】
次に説明を簡単にするために、上部より第１、第２、第３と３つの基本構成を３段に支持した場合について説明する。最上部の第１の基本構成の流体受け部にワイン等の流体を注ぐと、第１の基本構成の流体受け部で受けた流体は、筒部内部を通過して流体噴出部より噴出して第２の基本構成における流体受け部によって補足される。該流体受け部によって補足された流体は、第２の基本構成の流体噴出部の流体噴出部より噴出して第３の基本構成の流体受け部によって補足される。【００１７】
ここで、基本構成は、該流体受け部からの流体を滞りなく下方に流下させる形状であれば、その形は特に限定されない。即ち、真っすぐでなくてもよく、たとえば装飾として湾曲し、該筒部内を流下する流体の動きを視覚的に楽しめるものであっても良い。材質としては、流体が流下するに耐えうるものであり、かつ注いで流下する流体を飲料として摂取するに十分な安全性を保持するものであれば、特に限定はなく、たとえばガラス、プラスチック、樹脂、またはステンレスを含む金属であってもよい。【００１８】
下方に複数の貫通孔から成る流体噴出部を有するため、流体受け部から流下する流体は該流体噴出部の貫通口から外部へと噴出する。この貫通孔から噴出する際に流体はその流体表面のみでなく、全体的にまんべんなく空気と触れ、たとえばワインを適度に酸化させて味と香りを増長させることが可能となり、かつシャワーのように細い流体の線が弧を描きつつ落下するという視覚的な演出効果も伴う。【００１９】
前述のように流体噴出部を構成する貫通孔が設けられる筒部は、ガラス、プラスチック、樹脂、またはステンレスを含む金属を含む、流体が流下するに耐えうるものであり、かつ注いで流下する流体を飲料として摂取するに十分な安全性を保持する一定の剛性を有する材質であれば何であってもよく、特に限定はされない。【００２０】
また、流体噴出部は、該流体受け部との当接部分から流下する流体がこぼれることなく、水密性が保持されれば、該流体受け部と一体型であっても、または嵌合、螺合によって着脱可能に連結されるものであっても良い。筒部が該流体受け部と着脱可能に連結される場合には、その材質として、流体を滞りなく流下させ、かつ流体を一定時間保持するに耐えうるものであれば、該流体受け部と同一の素材であっても異なる素材であっても良い。また、一定の長さを有する筒部であれば、筒部そのものを複数のパーツに分割し、かつ着脱可能な組立式にしても良い。これによって、本発明が長い筒部を有するデザインであったとしても、流体受け部及び筒部は細部にわたって容易に清掃することが可能となる。【００２１】
さて、第３の基本構成の流体受け部で受けた流体は第３の基本構成の流体噴出部から噴出するわけであるがこの部分の下方にワイングラスを設置してやれば、流体全体がまんべんなく空気と触れて味と香りが十分マイルドとなったワインがワイングラスに注がれるわけである。このようにすることにより、シャンパンタワーやチョコレートファウンテンのように、大がかりな準備や装置の使用を行わなくても、またパーティなど大勢が参加するイベントだけでなく少人数による食事においても、美しく場を演出する視覚的効果を奏することが可能となる。【００２２】
しかし、上記説明の第３の基本構成の下に１つのワイングラスを置いたのでは、たった一人分のワインしかサーブできず、多人数にサーブするためにはワイングラスを順番にたびたび交換しなければならず、多人数にサーブする時間がずれてしまい、乾杯などのタイミングを失してしまう。もちろん、本願に係る技術思想としては、上記の第３の基本構成の下に１つのワイングラスを置いた態様を含むものである。しかし、多人数にサーブしたい場合の手当ても本願では想定する。【００２３】
その場合には、上記多段に重ねた基本構成の再下段の基本構成の下に分配受け皿を設置し、その分配受け皿に複数の流出口を設ける構成をとる。この構成をとることで、夫々の流出口の下にワイングラスを置けば複数のワイングラスに同時にワインをサーブすることができる。【００２４】
また、上記夫々の流出口には流出を停止する機構を備えておくことにより、複数流出口のうち任意の所望の流出口のみからワインを流出できるよう設定することも可能となる。
【発明の効果】
【００２５】
本願に係る発明によれば、ワインを含む流体を、ワインボトルまたはデキャンタなどから各人が飲むためのグラス、またはカップ等の容器に移す際に、筒部に複数の貫通孔から構成される流体噴出部を有する多段式かつ着脱可能な流体下降装置を使用してサーブすることによって、全体的にまんべんなく十分な空気に触れさせて、たとえ高価なワインでないものでもその味をマイルドにし、かつ香りを増長させることが可能となる。従来は流下する流体表面のみが主に空気と触れるに留まるものであったが、本発明における流体噴出部を筒部に有する流体下降装置を、さらに着脱可能な多段式とする構成は、一段式に比べて流体をより多くの空気に触れさせて酸化促進を高める効果だけでなく、流体そのものが多段に構成された流体下降装置を、上方から下方へとシャワーのように孤を描きつつ移動するという視覚的に美しい演出効果も実現できる。【００２６】
さらに、上記の本願に係る流体下降装置に上述した分配受け皿を加えた流体下降分配装置によれば、結婚式の披露宴やパーティの円卓で、複数の出席者のワイングラスに同時にサーブすることができるため、サーブの順番を待っていて乾杯のタイミングを失してしまうこともなくなる。また、任意の所望の流出口からのみワインをサーブすることができるため、アルコールがたしなめない者や欠席者の席にはワインをサーブしないようにすることができる。
【図面の簡単な説明】
【００２７】
【図１】本発明の一実施形態に係る流体下降分配装置の全体概要を示す斜視図である。
【図２】本発明の一実施形態に係る流体下降分配装置の基本構成の説明図である。
【図３】本発明の一実施形態に係る流体下降分配装置における流体下降部の斜視図である。
【図４】本発明の一実施形態に係る流体下降分配装置のリング部の説明図である。
【図５】本発明の一実施形態に係る流体下降分配装置における流体分配部の斜視図である。
【図６】本発明の一実施形態に係る流体下降分配装置における流体分配部の流体流出口の説明図である。
【図７】本発明の一実施形態に係る流体下降分配装置をデザイン重視で実現する場合の一例である。
【図８】本発明の一実施形態に係る流体下降分配装置をデザイン重視で実現する場合の他の例である。
【発明を実施するための形態】
【００２８】
以下、図面を参照して本発明の実施形態を説明する。なお、以下では本発明の目的を達成するための説明に必要な範囲を模式的に示し、本発明の該当部分の説明に必要な範囲を主に説明することとし、説明を省略する箇所については公知技術によるものとする。
【００２９】
図１は本発明の一実施形態に係る流体下降分配装置の全体概要を示す斜視図である。図２は図１における基本構成１−１の詳細説明図である。同両図に示すように、本発明の流体下降分配装置１は、後述する上方に広がった漏斗状の流体を受ける流体受け部２−１と、複数の流体噴出孔２−３を有した筒状の流体噴出部２−２を有する基本構成１−１を多段に配置した流体下降部１−２と該流体下降部１−２を通して下降してきたしてきた流体を複数の流出口に分配する流体分配部１−３とを備えて構成されている。なお代替的に、この構成において、流体分配部１−３を備えない構成、すなわち、流体下降部１−２最下部からの流体を分配することなく単独で（たとえば単一のワイングラスによって）受ける形態であってもよいのは上述した通りである。
【００３０】
基本構成１−１においては、流体受け部２−１が上方に広がった漏斗状であり上方から注ぎこむ流体を受けると、この流体受け部２−１から流体が下方へと流れ込み、底面周囲に複数の流体噴出孔２−３がある筒状の流体噴出部２−２に流れ込むように構成されている。
【００３１】
図３は本発明の一実施形態に係る流体下降分配装置１の流体下降部１−２の説明図である。基台３−１には逆Ｊ型のスタンド３−２が取り付けられており、該スタンド３−２の先端にはリング３−３が（取外可能に）固定されている。リング３−３の内半径Ｒ１は基本構成１−１の漏斗状の流体受け部２−１の最大半径Ｒ２より小となっているため、該リング３−３によって基本構成１−１が支持される。（Ｒ１，Ｒ２は図４参照）
【００３２】
リング３−３にはアーム３−４が複数（図の例では３本）付いており、アーム先端には紐あるいは鎖３−５が取り付けられ、該鎖には該リング３−３と同じリング３−３ａと更にその下段に同様にリング３−３ｂが取り付けられている。
【００３３】
上記のリング３−３，３−３ａ，３−３ｂに夫々基本構成１−１，１−１ａ，１−１ｂを設置した場合の概略図が図３である。図から分かるように、上段の基本構成１−１の噴出口から噴出した流体（もしくは粉体。以下同。）が下段の基本構成１−１ａの流体受け部に受容されるように鎖３−５の長さを調整してある。
【００３４】
また、図４のように各リングに基本構成を設置し易いようにリング中心からのアーム先端の鎖取り付け点までの距離Ｒ３は基本構成の流体受け部の水平面最大半径Ｒ２より大としておくと基本構成を設定し易くなる。なお、スタンド３−２の先端部はフレキシブル構造としておくと流体分配部１−３への距離を微調整するのに便利である。
【００３５】
さらに、リング３−３の構造を図４の３本のアーム付きのリング４−ａとして説明してきたが、図４の４−ｂのように同内径の穴を有する三角形の板状として各先端に鎖を付けても良く、かくの如く基本構成を多段に吊り下げる方法は色々考えられるが、それらはすべて本願の技術的思想範疇に含まれるものである。上記のような構成は、三段に限ることなく任意の多段に重ねて構成することが可能となる。このような多段構成によって、該流体下降装置は、長い経路にわたって流体を流下させることによってより多くの空気と馴染ませ触れさせることによって味と香りを増長させ、かつ最上段から下段へと流体がシャワー状に噴出しつつ移動する様は食事やパーティの雰囲気を盛り上げる高い視覚的効果を実現する。
【００３６】
次に、上記流体下降部１−２より下降してくる流体を同時に複数に分配する流体分配部１−３について図５によって説明する。上記流体下降部１−２の再下段の流体噴出孔から噴出する流体を受け、複数の流出口５−２−１〜５−２−ｎに分配する分配皿５−１は、長さが変動できる支柱５−４と台座５−３によって支持されている。この支柱長さ可変機構により、分配皿の下に設置するワイングラスの各種の高さに対応することができる。
【００３７】
図５のように、流出口５−２−１〜５−２−ｎの下にワイングラスを置き、流体下降部１−２の最上部の基本構成１−１にワインを注げば、噴出孔から噴き出したワインが次の基本構成の漏斗状の流体受け部にシャワー状に注がれ、更に下段に次々注がれていき、最下段の基本構成からシャワー状に噴出したワインは分配皿５−１に注がれる。分配皿５−１は、中央が若干盛り上がったほぼ円形の皿状で、周囲の縁部分５−２に取り付けられた複数の流出口５−２−１〜５−２−ｎ（図６で詳述する）からワインが流出し、流出口の下に置かれたワイングラスに同時にサーブされる。
【００３８】
なお、分配皿５−１は支持スタンド５−４と台座５−３によって支持されており、支持スタンドは伸縮構造にしておけば各種のワイングラスの高さに合わせて調節することができる。さらに台座５−３は流体下降部１−２の基台３−１と一体構造としても良い。
【００３９】
上記の如く、流体下降部１−２をワインが次々にシャワー状となって流れてゆき、最後に流体分配部１−３によって複数のワイングラスにサーブされていく様は大変きれいでパーティ等の雰囲気を盛り上げるのに最適である。上記のような視覚的に美しい演出効果があることに加えて、ワインを十分な空気に触れさせて味をマイルドにし、かつ香りを増長させるという効果が期待できる。
【００４０】
本発明の一実施形態に係る流体下降分配装置１は、上記説明のように視覚的効果、味や香りの増長効果を有し、パーティ等のテーブルで複数の出席者に同時にワイン等の流体飲料をサーブすることができるが、たとえばワインのようなアルコール飲料が飲めない出席者のグラスにはサーブされないような工夫が必要である。
【００４１】
図６は分配皿５−１と該皿の周辺の縁５−２に取り付けられた流出口５−２−１〜５−２−ｎの説明図である。分配皿５−１ａは上記説明の分配皿５−１の一実現例で、流体下降部１−２からの下降流体を受ける皿の中央部は盛り上がっており、下降流体をほぼ均等に皿の周囲に流すことができる。皿の周囲には流体をせき止める縁５−２があり、縁５−２には筒状の流出口５−２−１ａ〜５−２−ｎａが取り付けられている。
【００４２】
また、各流出口からの流体流出を抑えることができる止め栓５−１ａｂを準備しておき、任意の流出口に差し込むことによりその流出口からの流体を流出させないことができる。
【００４３】
図６の分配皿５−１ｂは分配皿５−１の５−１ａとは別の実現例で、縁５−２に取り付けられた流出口５−２−１ｂ〜５−２−ｎｂが樋形状の例である。この例でも止め栓５−１ｂｂによって任意の流出口からの流体流出を止めることができる。
【００４４】
以上のように、分配皿５−１の形状やデザインおよび流出口の封止方法は種々考えられるが、流体下降部１−２からの流体を複数のグラスに分配する機構と封止機構についてはすべて本願発明の技術的思想範疇に含まれるものである。  
【００４５】
さらに、基本構成の材質としては、ガラスやプラスチック、アクリルやスチレン、エポキシ、またはポリカーボネードのような樹脂や金属、または陶磁器でもよい。また、上記樹脂材料として温度によって本体の色が変化する素材を使用すれば、例えば冷却された流体が下降するにつれて本体の色が変化し、より視覚的な装飾効果を高めることができる。
【００４６】
また、本発明の一実施形態に係る流体下降分配装置として、基本構成の流体受け部２−１の形状を単純な漏斗状として説明したが、これを上部が広がった花弁型、または王冠型、優勝カップ型を含むさまざまな形状にしてより装飾的効果を高めることも可能である。図７、図８は本願の発明思想をデザイン重視で実現する場合の例である。
【産業上の利用可能性】
【００４７】
上述したように、本願に係る発明によれば、ワインを含む流体を、ワインボトルまたはデキャンタなどから各人が飲むためのグラス、またはカップ等の容器に移す際に、筒部に複数の噴出孔から構成される流体噴出部を有する多段式かつ着脱可能な流体下降部を使用してサーブすることによって、流体全体をまんべんなく十分な空気に触れさせて味をマイルドにし、かつ香りを増長させることが可能となる。【００４８】
更に、流体下降部の下に設置した流体分配部により、複数のグラスに同時にサーブする様は情報の流体下降部をシャワー状に流れる様子に加えて、より一層視覚的な装飾効果を高め、かつ複数のグラスに１つずつワインを注ぐ手間を省くことができる。【００４９】
また、流体の例として主にワインを挙げて説明したが、ウイスキーや日本酒、焼酎等の酒類、ジュースや清涼飲料水、或いは溶解チョコレートのような流体さらには各種粉体にも使用可能である。【００５０】
したがって、本発明は、ワインなどの飲料を含む流体を上方から下方へと下降させる装置として、飲食業、イベント業、観光業、広告業など、味覚だけでなく視覚による効果を有効とする各種産業に対して大きな有益性をもたらすものである。【００５１】
さらに、任意の流出口からの流出をストップすることができるため、ワイン等を飲みたくない者のグラスにはサーブをせずに他の複数の者に同時にサーブすることができる。この機能を生かしてどこの流出口がストップされているかを分からないよう流体分配皿の流出口上部を覆っておき、誰にサーブされるかを当てたり、特定の者には飲み物が行き渡らない罰ゲームにしたりなど、各種余興のように楽しむ手段としての応用が考えられる。【００５２】
また、上述した実施例は、本発明に係る技術思想を具現化するための実施形態の一例を示したにすぎないものであり、他の実施形態でも本発明に係る技術思想を適用することが可能である。たとえば、上記においては、本願に係る技術的思想をワインやジュース等の飲料をサーブする用途を主に説明したが、本願に係る技術的思想はこれ以外にも、空気と混在させることで一定の効果がある分野において用いることができる。たとえば、工業上、一定の液体を多段階にわたって空気に触れさせた後に別の化合物と混合する場合などに用いることが可能である。さらに、本下降装置を流下する媒体としては液体に限られることなく、粉体、さらには粒体でもよく、一定の流動性を備えた材質であればよい。【００５３】
さらにまた、本発明を用いて生産される装置、方法、システムが、その２次的生産品に搭載されて商品化された場合であっても、本発明の価値は何ら減ずるものではない。
【符号の説明】
【００５４】
１…流体下降分配装置、１−１，１−１ａ、１−１ｂ…基本構成、１−２…流体下降部、１−３…流体分配部２−１…流体受け部、２−２…流体噴出部、２−３…流体噴出孔、３−１…基台、３−２…スタンド、３−３，３−３ａ、３−３ｂ…リング、３−４…アーム、３−５…鎖、４−ａ、４−ｂ…リング、５−１…分配皿、５−２…縁、５−２−１〜５−２−ｎ…流出口、５−３…台座、５−４…支持スタンド、５−２−１ａ〜５−２−ｎａ、５−２−１ｂ〜５−２−ｎｂ…流出口、Ｒ１…リング内半径、Ｒ２…基本構成の最大半径、Ｒ３…アーム部半径
【図１】
2014049824.tif 000003
【図２】
2014049824.tif 000004
【図３】
2014049824.tif 000005
【図４】
2014049824.tif 000006
【図５】
2014049824.tif 000007
【図６】
2014049824.tif 000008
【図７】
2014049824.tif 000009
【図８】
2014049824.tif 000010
【国際調査報告】
2014049824.tif 000011
2014049824.tif 000012
2014049824.tif 000013
2014049824.tif 000014